(57)【特許請求の範囲】
【請求項１】
筒状の胴パネル(32)における上面開口部を覆蓋するよう該胴パネル(32)に天板パネル(34)が接合されて製造され、該両パネル(32,34)の内面で洗浄室が画成されるドアケーシング(30)を備えた食器洗浄機のパネル接合構造において、
前記胴パネル(32)および天板パネル(34)の接合部分(32b,34a)を内面下側に向けて折り曲げて突き合わせ、両パネル(32,34)の突き合わされた接合部分(32b,34a)の先端箇所(36)を、該両パネル(32,34)の接合線(38)の全長に亘って隙間無く溶接し、
前記接合部分(32b,34a)の先端箇所(36)は、前記溶接による焼け跡がドアケーシング(30)の外側表面にでない距離(d)だけ折り曲げられた部分から離間している
ことを特徴とする食器洗浄機のパネル接合構造。
【発明の詳細な説明】
【０００１】
【発明の属する技術分野】
本発明は、食器洗浄機のパネル接合構造に関し、更に詳細には、防水のためにシール材を塗布する必要のない食器洗浄機のパネル接合構造に関するものである。
【０００２】
【従来の技術】
飲食に供した後の皿や茶碗、コップ等の食器を自動的に洗浄する食器洗浄機が、喫茶店やレストラン等の厨房、更には一般家庭にも設置されて広く使用されるに至っている。図２は、この食器洗浄機の外観図である。食器洗浄機１０は、上部に開口部１２ａが形成された矩形状の洗浄槽１２と、この洗浄槽１２を上方から被蓋して内部に洗浄室を画成する箱状のドアケーシング１４とを備えており、洗浄室に食器を出し入れするときは、ドアケーシング１４にリンク杆１６を介して取り付けられたドアハンドル１８を持ち上げることで、該ドアハンドル１８がヒンジ部２０を中心に上方に回動してドアケーシング１４を持ち上げ、洗浄槽１２の開口部１２ａが開口するようになっている。
【０００３】
洗浄室に食器を入れて洗浄する場合には、ドアハンドル１８をヒンジ部２０を中心に下方に回動してドアケーシング１４で洗浄室を覆い、洗浄槽１２内に設けられた図示しない洗浄ノズルから洗浄液を食器に噴射し、次にすすぎ水を食器に噴射して食器を洗浄することになる。このとき、洗浄液やすすぎ水が洗浄室内に飛散し、ドアケーシング１４の内面は洗浄液やすすぎ水に晒されるため、ドアケーシング１４から外部に洗浄液やすすぎ水が漏れ出ないように、ドアケーシング１４を液密に製造する必要がある。
【０００４】
図３(ａ)は、従来のドアケーシング１４を斜め上方から見た図である。このドアケーシング１４は、矩形筒状に折り曲げられた胴パネル２２と、上面の開口部を覆蓋する天板パネル２４とを接合することで製造され、該パネル２２,２４の内面で洗浄室が画成されるようになっている。図３(ｂ)は、図３(ａ)のIIIｂ―IIIｂ線断面図である。従来のドアケーシング１４は、天板パネル２４の外周囲部２４ａをパネル厚さ分だけ窪ませるように折曲し、胴パネル２２の上端部２２ａを水平方向に直角に折曲し、胴パネル２２の上端部２２ａを天板パネル２４の外周囲部２４ａの上に重ね合わせ、上端部２２ａと外周囲部２４ａとをスポット溶接により接合している。しかしスポット溶接だけでは、両者間を液密にシールすることができないため、その接合部にシール材２６を塗布している。あるいは、シール材２６を予め塗布した上端部２２ａと外周囲部２４ａとをスポット溶接(シール・スポット溶接)するようにしている。
【０００５】
【発明が解決しようとする課題】
従来の食器洗浄機のドアケーシング１４は、シール性能を高めるために、シール材を用いている。しかしこのシール材は、食器洗浄機が長期間に亘って使用されると、高温の洗浄液や食器の汚れに含まれる油成分に長期間晒されることになり、その物理的性質や化学的性質が経年的に劣化してしまい、接合部の隙間腐食の原因になり、食器洗浄機の耐久性や信頼性を損ねる難点が指摘される。
【０００６】
【発明の目的】
本発明は、従来の技術に係る食器洗浄機のパネル接合構造に内在している前記欠点に鑑み、これを好適に解決するべく提案されたものであって、シール性能が優れ、隙間腐食の心配が無い食器洗浄機のパネル接合構造を提供することを目的とする。
【０００７】
【課題を解決するための手段】
前記課題を解決し、所期の目的を達成するため、本発明に係る食器洗浄機のパネル接合構造は、
筒状の胴パネルにおける上面開口部を覆蓋するよう該胴パネルに天板パネルが接合されて製造され、該両パネルの内面で洗浄室が画成されるドアケーシングを備えた食器洗浄機のパネル接合構造において、
前記胴パネルおよび天板パネルの接合部分を内面下側に向けて折り曲げて突き合わせ、両パネルの突き合わされた接合部分の先端箇所を、該両パネルの接合線の全長に亘って隙間無く溶接し、
前記接合部分の先端箇所は、前記溶接による焼け跡がドアケーシングの外側表面にでない距離だけ折り曲げられた部分から離間していることを特徴とする。
【０００８】
【発明の実施の形態】
次に、本発明に係る食器洗浄機のパネル接合構造につき、好適な実施例を挙げて、添付図面を参照しながら以下説明する。なお、食器洗浄機の基本的な構成は、図２を参照して従来の技術で説明した通りであるので、その詳細説明は省略する。
【０００９】
図１(ａ)は、本発明の一実施例に係る食器洗浄機のドアケーシングを斜め上方から見た図である。本実施例に係るドアケーシング３０は、その外観については図３(ａ)に示す従来のドアケーシングと同じであり、矩形筒状に折り曲げられた胴パネル３２と、上面の開口部を覆蓋する天板パネル３４とを接合することで製造されて、両パネル３２,３４の内面で洗浄室を画成するよう構成される。
【００１０】
図１(ｂ)は、図１(ａ)のＩｂ―Ｉｂ線断面図である。本実施例のドアケーシング３０の天板パネル３４は、図１(ｂ)に示すように、接合部分としての外周囲部３４ａが、幅ｄだけ直角下方に折り曲げられている。また、胴パネル３２の上端部３２ａは、先ず水平方向に直角に折り曲げられ、続けて接合部分としての先端部３２ｂが、外周囲部３４ａの折曲幅と同じ幅ｄだけ直角下方に折り曲げられている。
【００１１】
そして、拝み合わせの形になるように、天板パネル３４の外周囲部３４ａと胴パネル３２の先端部３２ｂとが突き合わせられている。すなわち、隣接する両パネル３４,３２の接合部分３４ａ,３２ｂが、ドアケーシング３０の内面側に折り曲げられて突き合わされている。また、天板パネル３４における外周囲部３４ａの先端と、胴パネル３２における先端部３２ｂの先端とは、隙間なく溶接してある。
【００１２】
この溶接は、本実施例では電気溶接の一種であるアルゴン溶接で行ない、ステンレス製の天板パネル３４および胴パネル３２は、融けたステンレスにより溶接部(ドアケーシング３０に臨む先端箇所)３６で相互に溶着される。また溶接は、拝み合わせた天板パネル３４および胴パネル３２の接合線３８(図１(ａ)参照）の全長に亘って隙間無く行なわれる。
【００１３】
【実施例の作用】
次に、前述した実施例に係る食器洗浄機のパネル接合構造の作用について説明する。
【００１４】
本実施例の食器洗浄機では、そのドアケーシング３０の天板パネル３４と胴パネル３２とが拝み合わせで突き合わされ、その接合部が全長に亘ってアルゴン溶接により溶着されるため、接合部は融けたステンレスによって完全密閉される。このため、洗浄液や油分などが溶接部に長期間に亘って噴射されても、溶接部に隙間腐食が発生する心配はなく、食器洗浄機の耐久性や信頼性が、シール材を用いた場合に比較して格段に向上する。
【００１５】
また、図１(ｂ)に明示するように、溶接部３６は、ドアケーシング３０の内側(裏側)の距離ｄだけ離れた箇所に存在するため、溶接による焼け跡がドアケーシング３０の外側表面にでることがなく、焼痕除去作業を行わなくてもドアケーシング３０の外観性が保たれ、食器洗浄機の美観を向上させることが可能となる。更に、拝み合わせ溶接した距離ｄの折曲部分(３４ａ,３２ｂ)が、天板の補強リブとしても機能し、ドアケーシング３０の構造が強化される。
【００１６】
なお実施例では、ドアケーシングを胴パネルと天板パネルとの２部材から構成した場合で説明したが、胴パネルに関しては、複数のパネルを筒状に溶接することで構成されるものであってもよく、その接合部が本発明の接合構成となっていればよい。
【００１７】
【発明の効果】
以上に説明した如く、本発明に係る食器洗浄機のパネル接合構造によれば、パネル同士の接合部にシール材を用いないから、ドアケーシングのシール性が格段に向上すると共に、耐腐食性が向上して食器洗浄機の耐久性，信頼性を向上させることができる。また接合部分における溶接された先端箇所は、ドアケーシングの内側から溶接による焼け跡がドアケーシングの外側表面にでない距離だけ下方に離れて存在するため、焼痕除去作業を行わなくてもドアケーシングの外観性が保たれ、食器洗浄機の美観を向上させることが可能となる。更に、拝み合わせ溶接した折曲部分が、天板の補強リブとしても機能し、ドアケーシングの構造が強化される。
【図面の簡単な説明】
【図１】  (ａ)は本発明の一実施例に係る食器洗浄機のドアケーシングを斜め上から見た斜視図であり、(ｂ)は同図(ａ)のＩｂ―Ｉｂ線断面図である。
【図２】  食器洗浄機の外観図である。
【図３】  (ａ)は従来の食器洗浄機のドアケーシングを斜め上から見た斜視図であり、(ｂ)は同図(ａ)のIIIｂ―IIIｂ線断面図である。
【符号の説明】
３０ ドアケーシング，３２ 胴パネル，３２ｂ 先端部(接合部分)
３４ 天板パネル，３４ａ 外周囲部(接合部分)，３６ 溶接部，３８ 接合線
【図１】
0004011901.tif 000002
【図２】
0004011901.tif 000003
【図３】
0004011901.tif 000004